(57)【特許請求の範囲】
【請求項１】
情報を表示する表示領域に、互いに発光状態の異なる複数の発光部を備える表示装置であって、
前記複数の発光部を発光させるための光を放出する光源部と、
前記複数の発光部のうちの一つである第一発光部と、
前記複数の発光部のうちの他の一つであって、前記第一発光部と並んで位置する第二発光部と、
前記光源部から放出された光の状態を、前記第一発光部の発光状態として予め規定された状態に調整する発光調整部と、
前記発光調整部によって状態を調整された調整光を前記第一発光部に集光する集光部と、
前記発光調整部に入射する光を透過させる第一の透光部、及び前記発光調整部を迂回する光を透過させる第二の透光部、を有する表示パネルと、を備え、
前記第一発光部、前記第二発光部、及び前記集光部は、前記表示パネルに載置される一体部材に一体で形成され、
前記第二発光部は、前記第二の透光部を透過した光を視認させ、
前記第一発光部は、前記集光部及び前記発光調整部を通して、前記第一の透光部を透過した光を視認させることを特徴とする表示装置。
【請求項２】
前記集光部は、前記第一発光部に向けて前記調整光を反射させることにより、前記第一発光部に前記調整光を集光する反射面、を有することを特徴とする請求項１に記載の表示装置。
【請求項３】
前記集光部は、前記第一発光部に向けて前記調整光を屈折させることにより、前記第一発光部に前記調整光を集光する屈折面、を有することを特徴とする請求項１に記載の表示装置。
【請求項４】
前記発光調整部は、前記集光部と一体で形成されることを特徴とする請求項１〜３のいずれか一項に記載の表示装置。
【請求項５】
前記集光部としての第一集光部と、
前記光源部から放出された光のうち前記発光調整部を迂回した迂回光を前記第二発光部に集光する第二集光部と、
を備えることを特徴とする請求項１〜４のいずれか一項に記載の表示装置。
【請求項６】
前記第一集光部及び前記第二集光部のうちの少なくとも一方は、
前記第一発光部及び前記第二発光部のうち対応する発光部に向けて、前記調整光及び前記迂回光のうち対応する光を屈折させることにより、当該対応する発光部に当該対応する光を集光する屈折面、を有することを特徴とする請求項５に記載の表示装置。
【請求項７】
前記第一発光部及び前記第二発光部は、発光状態として発光色が互いに異なり、
前記発光調整部は、前記光源部から放出される光の色を、予め規定された第一発光部の発光色に調整することを特徴とする請求項１〜６のいずれか一項に記載の表示装置。
【発明の詳細な説明】
【技術分野】
【０００１】
本発明は、情報を表示する表示領域に、複数の発光部を備える表示装置に関する。
【背景技術】
【０００２】
従来、表示領域に設けられた複数の発光部の発光状態が、互いに異なる表示装置が開示されている。このような表示装置の一種として、例えば特許文献１に開示の指針計器は、複数の発光部のうちの一つである目盛と、複数の発光部のうちの他の一つであって、目盛と並んで位置する文字と、を表示領域に備えている。特許文献１に開示の指針計器において、複数の発光部を発光させるための発光ダイオードから放出された光は、透光性部材に形成された凹凸層によって反射されることにより、目盛に到達する。透光性部材の凹凸層では、凸部の発光状態として予め規定された輝度になるよう、発光ダイオードから放出された光の状態が調整される。以上により、特許文献１の指針計器では、表示領域の目盛及び文字は、互いに異なる輝度にて発光する。
【先行技術文献】
【特許文献】
【０００３】
【特許文献１】特開２００７−３３０４号公報
【発明の概要】
【発明が解決しようとする課題】
【０００４】
さて、特許文献１に開示の指針計器において、目盛及び文字等の発光部に入射する視認者の視線方向は、視認者における左右の目の位置の差異、並びに首及び上半身の動作に起因して、一定にはならない。故に、互いに発光状態の異なる発光部を近接させた場合、視認者の視線方向によっては、凸部の発光状態として予め規定された輝度に調整された光は、目盛と共に、目盛と並んで位置する文字にも到達し、文字を発光させる光に混じり合って視認されてしまう。すると、凹凸層よって高輝度に調整された光は、文字の発光状態を変化させてしまう。
【０００５】
以上のような文字の発光状態の変化を防ぐため凹凸層を設ける領域を狭くしてしまうと、第一発光部は、予め規定された輝度にて、発光できなくなり得る。これらのように、情報を表示する表示領域において互いに並んで位置する目盛及び文字等の発光部を近接させてしまうと、これら発光部のうちの一方は、正しい発光状態にて発光することができなくなるおそれがあった。
【０００６】
本発明は、上記問題に鑑みてなされたものであって、その目的は、互いに並んで位置する発光部を近接させても、これら各発光部が共に正しい発光状態にて発光する表示装置を提供することである。
【課題を解決するための手段】
【０００７】
上記目的を達成するために、請求項１に記載の発明では、情報を表示する表示領域に、互いに発光状態の異なる複数の発光部を備える表示装置であって、複数の発光部を発光させるための光を放出する光源部と、複数の発光部のうちの一つである第一発光部と、複数の発光部のうちの他の一つであって、第一発光部と並んで位置する第二発光部と、光源部から放出された光の状態を、第一発光部の発光状態として予め規定された状態に調整する発光調整部と、発光調整部によって状態を調整された調整光を第一発光部に集光する集光部と、発光調整部に入射する光を透過させる第一の透光部、及び発光調整部を迂回する光を透過させる第二の透光部、を有する表示パネルと、を備え、第一発光部、第二発光部、及び集光部は、表示パネルに載置される一体部材に一体で形成され、第二発光部は、第二の透光部を透過した光を視認させ、第一発光部は、集光部及び発光調整部を通して、第一の透光部を透過した光を視認させることを特徴とする表示装置とする。
【０００８】
この発明によれば、集光部が、発光調整部によって発光の状態を調整された調整光を集光する。故に、発光部に入射する視認者の視線方向が変化した場合でも、第一発光部の発光状態として予め規定された状態に調整された調整光は、第二発光部を発光させる光に混じり合い難くなる。以上により、第二発光部の発光状態が調整光によって変化してしまう事態は、防がれ得る。加えて、第一発光部は、集光部によって集光された調整光により、予め規定された発光状態にて、確実に発光することができる。したがって、情報を表示する表示領域において互いに並んで位置する第一発光部及び第二発光部を近接させても、これら第一発光部及び第二発光部は、共に正しい発光状態にて発光することができる。
【０００９】
請求項２に記載の発明では、集光部は、第一発光部に向けて調整光を反射させることにより、第一発光部に調整光を集光する反射面、を有することを特徴とする。
【００１０】
この発明によれば、反射面は、発光状態の調整された調整光を第一発光部に向けて反射する。故に、調整光は、第二発光部を発光させる光に混じり合うことなく、確実に第一発光部に集光される。以上により、視認者の視線方向が変化した場合でも、第二発光部の発光状態が調整光によって変化してしまう事態は、確実に抑制され得る。したがって、互いに並んで位置する第一発光部及び第二発光部を近接させても、これら第一発光部及び第二発光部は、共に正しい発光状態にて確実に発光することができる。
【００１１】
請求項３に記載の発明では、集光部は、第一発光部に向けて調整光を屈折させることにより、第一発光部に調整光を集光する屈折面、を有することを特徴とする。
【００１２】
この発明によれば、屈折面は、発光状態の調整された調整光を第一発光部に向けて屈折させる。故に、調整光は、第二発光部を発光させる光に混じり合うことなく、確実に第一発光部に集光される。以上により、視認者の視線方向が変化した場合でも、第二発光部の発光状態が調整光によって変化してしまう事態は、確実に抑制され得る。したがって、互いに並んで位置する第一発光部及び第二発光部を近接させても、これら第一発光部及び第二発光部は、共に正しい発光状態にて確実に発光することができる。
【００１３】
請求項４に記載の発明では、発光調整部は、集光部と一体で形成されることを特徴とする。
【００１４】
この発明によれば、発光調整部が集光部と一体で形成されることにより、調整光は、集光部によって漏れ無く集光される。故に、調整光は、集光部によって確実に集光されることにより、第二発光部を発光させる光に混じり難くなる。以上により、視認者の視線方向が変化した場合でも、第二発光部の発光状態が調整光によって変化してしまう事態は、確実に抑制され得る。したがって、互いに並んで位置する第一発光部及び第二発光部を近接させても、これら第一発光部及び第二発光部は、共に正しい発光状態にて確実に発光することができる。
【００１５】
請求項５に記載の発明では、集光部としての第一集光部と、光源部から放出された光のうち発光調整部を迂回した迂回光を第二発光部に集光する第二集光部と、を備えることを特徴とする。
【００１６】
この発明によれば、第二集光部が、光源部から放出された光のうち発光調整部を迂回した迂回光を集光する。故に、視認者の視線方向が変化した場合でも、発光調整部によって発光状態を調整されていない迂回光は、発光調整部によって発光状態を調整された調整光に混じり合い難くなる。以上により、迂回光が第一発光部の発光状態を変化させる事態、及び調整光が第一発光部の発光状態を変化させる事態は、共に防がれ得る。したがって、第一発光部及び第二発光部をさらに近接させても、これら第一発光部及び第二発光部は、共に正しい発光状態にて確実に発光できる。
【００１７】
請求項６に記載の発明では、第一集光部及び第二集光部のうちの少なくとも一方は、第一発光部及び第二発光部のうち対応する発光部に向けて、調整光及び迂回光のうち対応する光を屈折させることにより、当該対応する発光部に当該対応する光を集光する屈折面、を有することを特徴とする。
【００１８】
この発明によれば、第一集光部及び第二集光部のうちの少なくとも一方の有する屈折面は、視認者の視線方向を、任意の方向に屈折させる作用を発揮できる。故に、第一発光部の発光状態に光の状態を調整する発光調整部と、第二発光部を発光させるための発光調整部による調整を受けない迂回光が当該発光調整部を迂回する迂回部分とは、互いに離れて位置し得る。
【００１９】
詳記すると、第一集光部が屈折面を有する場合には、当該屈折面により、迂回部分から離れた位置に向けて視認者の視線方向を屈折させる。この屈折させた視線方向の延長上に発光調整部を配置することにより、発光調整部は、迂回部分から離れて位置しつつ、第一発光部を発光させる光の発光状態を調整する作用を発揮できる。
【００２０】
一方で、第一集光部が屈折面を有する場合には、当該屈折面によって、発光調整部から離れた位置に向けて視認者の視線方向を屈折させる。この屈折させた視線方向の延長先に、迂回部分を位置させることにより、第二発光部を発光させる光は、発光調整部を確実に迂回できる。
【００２１】
以上のように、第一集光部及び第二集光部の少なくとも一方に設けられる屈折面によって、第一発光部と第二発光部との距離にかかわらず、発光調整部と迂回部分とは、互いに離れて位置し得るようになる。故に、互いに状態の異なる光が混じり合う事態は、さらに確実に抑制される。したがって、第一発光部及び第二発光部は、共に正しい発光状態にて確実に発光することができる。
【００２２】
請求項７に記載の発明では、第一発光部及び第二発光部は、発光状態として発光色が互いに異なり、発光調整部は、光源部から放出される光の色を、予め規定された第一発光部の発光色に調整することを特徴とする。
【００２３】
この発明のように、並んで位置する第一発光部及び第二発光部の発光色が互いに異なる形態において、仮に、発光調整部によって発光色の調整された調整光が第二発光部を発光させる光に混じり合ったとする。すると、第二発光部は、正しくない発光色で発光してしまう。このように、第二発光部の発光色が正しくないことは、視認者によって知覚され易く、表示装置の見栄えを著しく悪化させる要因となり得る。
【００２４】
しかし、上述したように、集光部によって、調整光と第二発光部を発光させる光との混じり合いが抑制されることにより、視認者の視線方向が変化した場合でも、第二発光部の発光色が変化してしまう事態は、防がれ得る。このように、互いに並んで位置する第一発光部及び第二発光部を近接させても、第一発光部及び第二発光部の発光状態が正しく維持される効果は、発光状態としての発光色が互いに異なる形態において、表示装置の見栄え確保に顕著に寄与することができる。
【図面の簡単な説明】
【００２５】
【図１】本発明の第一実施形態によるコンビネーションメータの正面図である。
【図２】本発明の第一実施形態によるコンビネーションメータの機械的構成を示す図であって、図１のＩＩ−ＩＩ線断面図である。
【図３】本発明の第一実施形態によるコンビネーションメータの電気的構成を示すブロック図である。
【図４】本発明の特徴部分を説明するための拡大図であって、（ａ）は、立体目盛リングの構成を説明するための図であり、（ｂ）は、立体目盛リングの作用を説明するための図である。
【図５】本発明の第二実施形態によるコンビネーションメータの特徴部分を説明するための拡大図である。
【図６】本発明の第三実施形態によるコンビネーションメータの特徴部分を説明するための拡大図である。
【発明を実施するための形態】
【００２６】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００２７】
（第一実施形態）
図１は、本発明の第一実施形態によるコンビネーションメータ１００の正面図である。コンビネーションメータ１００は、車両の車室内に設けられたインスツルメントパネル内に収容され、図１に示す正面側を運転席側に向けて配置されている。
【００２８】
（基本構成）
以下、本発明の第一実施形態によるコンビネーションメータ１００の基本構成について説明する。コンビネーションメータ１００は、車両に関する種々の情報の表示する表示装置である。図１に示されるように、コンビネーションメータ１００は、タコメータ２０、並びに図示されないスピードメータ、水温計、及び燃料計等の計器によって構成されている。
【００２９】
タコメータ２０は、車両に搭載されている内燃機関の出力軸の回転速度を、情報として表示する。タコメータ２０において、情報を表示する表示領域２０ａには、表示パネル３０、指針４０、外縁リング３９、及び立体目盛リング５０が設けられている。タコメータ２０の表示は、指針４０、表示パネル３０に形成された文字部３１、及び立体目盛リング５０に形成された複数の発光部等によって構成されている。
【００３０】
表示パネル３０は、円盤状に形成されている。表示パネル３０に形成された文字部３１は、コンビネーションメータ１００から運転席側に向かう表示方向に、光を出射させることによって発光する。文字部３１は、「０」〜「７」の文字の形状を模っており、文字盤の周方向に沿って等間隔で並んでいる。
【００３１】
指針４０は、運転席側に向けられた表示パネル３０のおもて面に沿って回転する。指針４０は、キャップ部４２及び指針本体部４１を有している。キャップ部４２は、円盤状に形成されており、表示パネル３０の中央部に位置している。指針本体部４１は、キャップ部４２から、表示パネル３０の径方向に沿って延伸している。指針本体部４１の延伸方向の先端部は、コンビネーションメータ１００の表示方向において、立体目盛リング５０に形成された複数の発光部と重なることが可能な位置まで延伸している。指針本体部４１は、光を出射させることにより発光する。
【００３２】
外縁リング３９は、円環状に形成されている。外縁リング３９は、立体目盛リング５０の外周側を全周に亘って囲んでいる。外縁リング３９によって、コンビネーションメータ１００の表示上におけるタコメータ２０の表示領域２０ａが規定されている。
【００３３】
立体目盛リング５０は、円環状に形成されている。立体目盛リング５０は、表示パネル３０に形成された文字部３１の外周側を全周に亘って囲んでいる。立体目盛リング５０には、複数の発光部として、主目盛部５１、補助目盛部５２、白色帯状部５３、赤色帯状部５５、及び環状発光部５７が形成されている。
【００３４】
主目盛部５１及び補助目盛部５２は、内燃機関の回転速度に応じて回転する指針４０の先端部が指し示す値を、文字部３１と協働で表示するための符号である。主目盛部５１は、表示パネル３０の外縁に沿って、等間隔且つ環状に並んでいる。主目盛部５１は、表示パネル３０に形成された各文字部３１の径方向外側に位置している。主目盛部５１は、矩形状に形成されている。主目盛部５１の長手方向は、立体目盛リング５０の径方向に沿っている。補助目盛部５２は、主目盛部５１によって挟まれた領域に、表示パネル３０の外縁に沿って環状に並んでいる。ただし、「６」を示す文字部３１の径方向内側に位置する主目盛部５１と、「７」を示す文字部３１の径方向内側に位置する主目盛部５１との間の領域には、補助目盛部５２は形成されていない。各補助目盛部５２は、隣接する主目盛部５１及び補助目盛部５２のいずれかと、等間隔で並んでいる。各補助目盛部５２は、主目盛部５１よりも小さい矩形形状に形成されている。補助目盛部５２の長手方向は、立体目盛リング５０の径方向に沿っている。
【００３５】
白色帯状部５３及び赤色帯状部５５は、「６」を示す文字部３１の径方向内側に位置する主目盛部５１と、「７」を示す文字部３１の径方向内側に位置する主目盛部５１との間の領域に形成されている。白色帯状部５３及び赤色帯状部５５は、立体目盛リング５０の周方向に沿って帯状に延伸している。白色帯状部５３は、赤色帯状部５５の内周側に位置しており、白色の発光色にて発光する。赤色帯状部５５は、白色帯状部５３の外周側に位置しており、赤色の発光色にて発光する。白色帯状部５３及び赤色帯状部５５は、内燃機関の出力軸が回転可能な速度の限界領域である所謂レッドゾーンを、協働で示している。
【００３６】
環状発光部５７は、主目盛部５１、補助目盛部５２、白色帯状部５３、及び赤色帯状部５５の外周側を全周に亘って囲む環状の装飾である。環状発光部５７は、外縁リング３９の内周側に位置している。環状発光部５７は、白色の発光色にて発光する。以上のように、赤色帯状部５５と白色帯状部５３及び環状発光部５７とは、発光状態として発光色が互いに異なっている。
【００３７】
次に、コンビネーションメータ１００の機械的構成及び電気的構成を、図１〜図３に基づいて説明する。
【００３８】
コンビネーションメータ１００は、上述した表示パネル３０、指針４０、外縁リング３９、及び立体目盛リング５０に加えて、導光体７０、カバー部材７３、発光ダイオード８３、ステッパーモータ８５及びメータ制御部８０を備えている。これらコンビネーションメータ１００の構成は、複数のケース部材および透明なフロントパネル等を互いに組み付けることによって構成された筐体（図示しない）に収容されており、雰囲気中の塵や埃等から保護されている。
【００３９】
表示パネル３０は、例えばアクリル樹脂又はポリカーボネート樹脂等の透光性の樹脂材料によって形成されている。表示パネル３０は、遮光部３２及び透光部３３を有する。遮光部３２は、遮光性の印刷を表示パネル３０の基材に施すことにより、形成されている。遮光部３２において、遮光性の印刷は、各文字部３１を除く部分に施されている。これにより、文字部３１は、光を透過させることにより、発光することができる。透光部３３は、遮光部３２の外周側に位置している。透光部３３は、光を透過させることができる。透光部３３は、導光体７０と立体目盛リング５０との間に位置している。導光体７０から出射された光は、表示パネル３０の透光部３３を透過して、立体目盛リング５０に入射する。
【００４０】
指針４０において、キャップ部４２は、遮光性の樹脂材料によって形成されている。指針本体部４１は、透光性であって、赤く着色された樹脂材料によって形成されている。指針本体部４１は、キャップ部４２によって視認者から隠された部分から、発光ダイオード８３によって放出された光を内部に入射させる。指針本体部４１は、入射させた光を、表示パネル３０上に露出している部分から放出することにより、発光する。
【００４１】
外縁リング３９は、遮光性の樹脂材料によって形成されている。外縁リング３９において、視認者から視認される領域には、塗装が施されている。外縁リング３９は、コンビネーションメータ１００の筐体に取り付けられることにより、カバー部材７３との間で、立体目盛リング５０及び表示パネル３０を挟持している。
【００４２】
立体目盛リング５０は、透光性の材料によって形成されている。立体目盛リング５０の表面には、表示パネル３０と同様に遮光性の印刷によって、遮光部５９が形成されている。遮光部５９によって、主目盛部５１及び補助目盛部５２等の複数の発光部が区切られている。また、立体目盛リング５０は、白色光入射面６３ａ、赤色光入射面６５ａ、及び環状入射面６７ａを有している。白色光入射面６３ａは、立体目盛リング５０において白色帯状部５３の表示方向とは反対側に位置している。白色光入射面６３ａは、白色帯状部５３を発光させるための光を立体目盛リング５０内に入射させる。赤色光入射面６５ａは、立体目盛リング５０において赤色帯状部５５の表示方向とは反対側に位置している。赤色光入射面６５ａは、赤色帯状部５５を発光させるための光を立体目盛リング５０内に入射させる。環状入射面６７ａは、立体目盛リング５０において環状発光部５７の表示方向とは反対側の位置に環状に形成されている。環状入射面６７ａは、環状発光部５７を発光させるための光を立体目盛リング５０内に入射させる。
【００４３】
立体目盛リング５０は、表示パネル３０のおもて面側に載置されている。立体目盛リング５０は、表示パネル３０及び外縁リング３９によって挟まれている。立体目盛リング５０において、複数の発光部の形成されている前面は、表示方向に向かうに従って、径方向外側に傾斜している。このような立体目盛リング５０の形状により、径方向に延伸している主目盛部５１及び補助目盛部５２は、コンビネーションメータ１００の表示に、立体感を付与する。
【００４４】
導光体７０は、透光性の樹脂材料によって円盤状に形成されている。導光体７０は、表示方向において、表示パネル３０の表示方向とは反対側に位置している。導光体７０は、発光ダイオード８３から放出された光を内部に入射させ、径方向外側に向けて導光する。導光体７０内を導光された光は、表示パネル３０の文字部３１及び立体目盛リング５０の各発光部と表示方向において重畳する領域から、表示方向に出射される（図２  矢印参照）。以上のように、導光体７０は、表示領域２０ａにおいて発光する文字部３１及び各発光部に、発光ダイオード８３の光を導光する。
【００４５】
カバー部材７３は、白色の遮光性の樹脂材料によって形成されている。カバー部材７３は、コンビネーションメータ１００の筐体に固定されている。カバー部材７３は、導光体７０において表示方向とは反対側となる背面を覆うことにより、導光体７０からの光の漏れを低減している。
【００４６】
発光ダイオード８３は、指針４０の指針本体部４１、表示パネル３０の文字部３１、及び立体目盛リング５０の複数の発光部等を発光させるための光を、電圧の印加によって放出する発光素子である。発光ダイオード８３は、コンビネーションメータ１００の回路基板（図示しない）に複数実装されている。発光ダイオード８３は、導光体７０に近接して配置されており、導光体７０に光を入射させる。第一実施形態において用いられる発光ダイオード８３は、白色の光を放出する。発光ダイオード８３は、メータ制御部８０と接続されており、当該メータ制御部８０によって印加される電圧によって発光する。
【００４７】
ステッパーモータ８５は、指針４０を回転させる機構である。ステッパーモータ８５の有する回転軸には、指針４０のキャップ部４２が取り付けられている。ステッパーモータ８５は、メータ制御部８０に接続されている。ステッパーモータ８５は、メータ制御部８０から出力される制御信号に基づいて、指針４０を回転させる。
【００４８】
メータ制御部８０は、プログラムに基づいて作動するマイクロコンピュータである。メータ制御部８０には、外部のバッテリ９５、イグニッション・リレー９４、及び車載用のＬｏｃａｌ  Ａｒｅａ  Ｎｅｔｗｏｒｋ（車内ＬＡＮ）９１等が接続されている。メータ制御部８０は、バッテリ９５から電力を供給される。車内ＬＡＮ９１上には、電力供給制御回路９２が設けられている。電力供給制御回路９２は、運転者によるイグニッション・スイッチ９３の押圧操作を検知して、イグニッション・リレー９４に電圧を印加し、当該リレー９４を通電状態にする。電力供給制御回路９２は、検知した運転者によるイグニッション・スイッチ９３の押圧操作に基づいて、車両のイグニッションのＯＮ／ＯＦＦ状態に関する情報を車内ＬＡＮ９１上に出力する。メータ制御部８０は、車内ＬＡＮ９１に出力された車両に関する情報、例えば、内燃機関の回転速度、イグニッション・スイッチ９３のＯＮ／ＯＦＦ状態等の情報を取得する。
【００４９】
メータ制御部８０は、発光ダイオード８３の発光及びステッパーモータ８５の回転を制御する。メータ制御部８０は、発光ダイオード８３に電圧を印加することにより、発光ダイオード８３に光を放出させる。メータ制御部８０は、車内ＬＡＮ９１を通じて取得した内燃機関の回転速度の情報に基づいて、指針４０を回転させるべき方向と回転角度を算出する。そして、メータ制御部８０は、算出結果に対応した制御信号をステッパーモータ８５に出力し、指針４０を回転させる。
【００５０】
以上説明したコンビネーションメータ１００では、運転者等によるイグニッション・スイッチ９３の操作に基づいて、指針４０の回転が開始されると共に、指針４０の指針本体部４１、文字部３１、主目盛部５１、及び補助目盛部５２等の発光が開始される。これらにより、タコメータ２０による内燃機関の回転速度の表示が形成される。
【００５１】
（特徴部分）
以下、第一実施形態によるコンビネーションメータ１００の特徴部分について、図４に基づいて詳細に説明する。
【００５２】
立体目盛リング５０は、赤色印刷部６６、白色光集光部６３、赤色光集光部６５、及び環状集光部６７を有している。赤色印刷部６６は、赤色光集光部６５と一体となるよう赤色光入射面６５ａに形成されている。赤色印刷部６６は、発光ダイオード８３（図３参照）から放出された光の状態を、赤色帯状部５５の発光状態として予め規定された状態に調整する。具体的に、赤色印刷部６６は、赤色の波長域に属する光を主に通過させる。これにより赤色印刷部６６は、発光ダイオード８３から放出された光の色を、赤色帯状部５５の発光色として予め規定された赤色に調整する。
【００５３】
白色光集光部６３は、立体目盛リング５０において白色帯状部５３の表示方向とは反対側に形成されている。白色光集光部６３は、白色帯状部５３に白色の光を導光するために、上述した白色光入射面６３に加えて、反射面６３ｂを形成している。白色光入射面６３ａは、表示パネル３０のおもて面に沿った平面状であって、赤色印刷部６６の内周側において表示パネル３０の透光部３３と接している。尚、透光部３３において、白色光入射面６３ａと接している部分であって、赤色印刷部６６を迂回した迂回光を白色光入射面６３ａに入射させる迂回部分を、帯状透光部３３ａとする。反射面６３ｂは、表示方向に向かうに従って径方向外側に傾斜している。反射面６３ｂは、立体目盛リング５０の周方向に沿って伸びている。以上により、帯状透光部３３ａを透過し、白色のままである迂回光が、白色光入射面６３ａから白色光集光部６３に入射する。白色光集光部６３は、反射面６３ｂによって、白色帯状部５３に向けて迂回光を反射させることにより、白色帯状部５３に迂回光を集光する。
【００５４】
赤色光集光部６５は、立体目盛リング５０において赤色帯状部５５の表示方向とは反対側に形成されている。赤色光集光部６５は、立体目盛リング５０から表示方向とは反対の方向に向けて突出している。赤色光集光部６５は、赤色帯状部５５に赤色の調整光を導光するために、上述した赤色光入射面６５ａに加えて、一対の反射面６５ｂを形成している。赤色光入射面６５ａは、赤色光集光部６５において突出方向の先端面に形成されている。赤色光入射面６５ａは、表示パネル３０のおもて面に沿った平面状であって、表示パネル３０の透光部３３と接している。一対の反射面６５ｂは、立体目盛リング５０の径方向において相対している。各反射面６５ｂは、立体目盛リング５０の周方向に沿って伸びている。一対の反射面６５ｂのうち、内周側に位置する一方は、表示方向に向かうに従って径方向内側に傾斜している。一対の反射面６５ｂのうち、外周側に位置する他方は、表示方向に向かうに従って径方向外側に傾斜している。赤色光集光部６５の赤色光入射面６５ａには、赤色印刷部６６によって赤色に調整された調整光が入射する。赤色光集光部６５は、反射面６５ｂによって、赤色帯状部５５に向けて調整光を反射させることにより、赤色帯状部５５に調整光を集光する。
【００５５】
環状集光部６７は、立体目盛リング５０において環状発光部５７の表示方向とは反対側に環状に形成されている。環状集光部６７は、環状発光部５７に白色の光を導光するために、上述した環状入射面６７ａを形成している。環状入射面６７ａは、表示方向とは反対の方向に凸状に湾曲している。凸レンズ状に形成された環状入射面６７ａの光軸は、表示方向に向かうに従って、径方向内側に傾斜している。この形状よって、環状入射面６７ａは、赤色印刷部６６の外周側であって、当該赤色印刷部６６から離れた位置に向けて、視認者の視線方向を屈折させることができる。尚、透光部３３において、赤色印刷部６６を迂回した迂回光を環状入射面６７ａに入射させる迂回部分を、環状透光部３３ｂとする。環状透光部３３ｂは、環状入射面６７ａの屈折作用によって、赤色印刷部６６から離れて位置し得る。以上により、環状透光部３３ｂを透過し、白色のままである迂回光が、環状入射面６７ａから環状集光部６７に入射する。環状集光部６７は、凸レンズ状の環状入射面６７ａによって、環状発光部５７に向けて迂回光を屈折させることにより、環状発光部５７に迂回光を集光する。
【００５６】
これら白色光集光部６３、赤色光集光部６５、及び環状集光部６７の集光作用につい
て、さらに詳しく説明する。
【００５７】
図４（ａ）に実線で示されるのは、視認者の視点位置がコンビネーションメータ１００の正面にあると想定した場合の視認者の視線方向ＬＳｃである。この場合、視認者の視線方向ＬＳｃは、コンビネーションメータ１００の表示方向に沿っている。この状態から、視認者の視点位置は、左右に移動する。図４（ｂ）に示されるのは、視認者が頭部を移動させること等により、予め想定される範囲内において、視認者の視線方向が表示方向に対して最大の角度を有した場合である。具体的に、予め想定される範囲内において、頭部の位置が最も左側に移動した際の左目の視線方向ＬＳｌが、図４（ｂ）において破線で示されている。また、予め想定される範囲内において、頭部の位置が最も右側に移動した際の右目の視線方向ＬＳｒが、図４（ｂ）において一点鎖線で示されている。
【００５８】
図４（ｂ）に示されるように、赤色光集光部６５の反射面６５ｂによって、赤色帯状部５５に入射する視線方向は、赤色印刷部６６の形成された赤色光入射面６５ａに向けて反射される。仮に、反射面６５ｂが形成されない場合、赤色帯状部５５の外縁に入射する左目の視線方向ＬＳｌは、白色の迂回光を透過させる環状透光部３３ｂに到達してしまう（図４（ｂ）二点鎖線参照）。このとき、視認者は、赤色に発光すべき赤色帯状部５５を通じて、環状透光部３３ｂを透過した白色の迂回光を視認してしまう。
【００５９】
赤色帯状部５５を通じて白色の迂回光が視認されないように、仮に、赤色印刷部６６を径方向外側に、左目の視線方向ＬＳｌの到達し得る位置Ａｐまで延長したとする。この形態において、さらに環状集光部６７が形成されないと仮定すると、環状発光部５７の内縁に入射する右目の視線方向ＬＳｒは、径方向外側に延長された赤色印刷部６６に到達してしまい得る（図４（ｂ）二点鎖線参照）。このとき、視認者は、白色に発光すべき環状発光部５７を通じて、赤色印刷部６６を透過した赤色の調整光を視認し得る。
【００６０】
また、赤色帯状部５５及び白色帯状部５３間においても、以下に説明するように、上述した赤色帯状部５５及び環状発光部５７間と同様である。反射面６５ｂが形成されない場合、赤色帯状部５５の内縁に入射する右目の視線方向ＬＳｒは、白色の迂回光を透過させる帯状透光部３３ａに到達し得る。このとき、視認者は、赤色に発光すべき赤色帯状部５５を通じて、帯状透光部３３ａを透過した白色の迂回光を視認してしまう。
【００６１】
赤色帯状部５５を通じて白色の迂回光が視認されないように、赤色印刷部６６を径方向内側に延長したとする。この形態において、さらに白色光集光部６３が形成されないと仮定すると、白色帯状部５３の外縁に入射する左目の視線方向ＬＳｌは、径方向内側に延長された赤色印刷部６６に到達し得る。このとき、視認者は、白色に発光すべき白色帯状部５３を通じて、赤色印刷部６６を透過した赤色の調整光を視認し得る。
【００６２】
しかし、ここまで説明した第一実施形態によれば、赤色帯状部５５に入射する視認者の視線方向が変化した場合でも、赤色に調整された調整光は、赤色光集光部６５の集光作用により、白色帯状部５３及び環状発光部５７を発光させる白色の迂回光に混じり合い難くなる。故に、白色帯状部５３及び環状発光部５７の発光色が赤色の調整光によって変化してしまう事態は、防がれ得る。加えて、赤色帯状部５５は、赤色光集光部６５によって集光された調整光により、予め規定された赤色にて、確実に発光することができる。したがって、互いに並んで位置する赤色帯状部５５及び白色帯状部５３、並びに赤色帯状部５５及び環状発光部５７をそれぞれ近接させても、これら白色帯状部５３、赤色帯状部５５、及び環状発光部５７は、各々正しい発光状態にて発光することができる。これにより、各発光部の形状及び配置の自由度が向上するので、コンビネーションメータ１００は、優れた見栄えを獲得できるようになる。
【００６３】
加えて第一実施形態によれば、白色光集光部６３は、帯状透光部３３ａを透過した迂回光を集光しつつ、白色帯状部５３に導光する。加えて環状集光部６７は、環状透光部３３ｂを透過した迂回光を集光しつつ、環状発光部５７に導光する。これら白色光集光部６３及び環状集光部６７の集光作用により、視認者の視線方向が変化した場合でも、赤色印刷部６６によって発光色を調整されていない白色の迂回光は、赤色の調整光に混じり合い難くなる。故に、白色の迂回光が赤色帯状部５５の発光色を変化させる事態、並びに赤色の調整光が白色帯状部５３及び環状発光部５７の発光色を変化させる事態は、共に確実に抑制され得る。
【００６４】
また第一実施形態によれば、反射面６５ｂの反射によって、赤色の調整光は、白色の光に混じり合うことなく、確実に赤色帯状部５５に集光される。故に、視認者の視線方向が変化した場合でも、白色帯状部５３及び環状発光部５７の発光色が調整光によって変化してしまう事態は、確実に抑制され得る。
【００６５】
さらに第一実施形態によれば、赤色印刷部６６が赤色光集光部６５と一体で形成されることにより、調整光は、赤色光集光部６５によって漏れ無く集光される。故に、調整光は、赤色光集光部６５によって確実に集光されることにより、白色帯状部５３及び環状発光部５７を発光させる白色の迂回光に混じり難くなる。以上により、視認者の視線方向が変化した場合でも、白色帯状部５３及び環状発光部５７の発光色が赤色の調整光によって変化してしまう事態は、確実に抑制され得る。
【００６６】
これらの混色防止作用により、赤色帯状部５５及び白色帯状部５３、並びに赤色帯状部５５及び環状発光部５７をそれぞれ近接させても、これら白色帯状部５３、赤色帯状部５５、及び環状発光部５７は、各々正しい発光状態にて確実に発光できる。
【００６７】
また加えて第一実施形態によれば、環状集光部６７の凸レンズ状の環状入射面６７ａは、視認者の視線方向を、径方向外側に屈折させる作用を発揮できる。故に、白色の迂回光を透過させるための環状透光部３３ｂは、環状入射面６７ａによって屈折させた視線方向の延長先であって、赤色印刷部６６から離れた位置に、形成され得る。これにより、環状発光部５７を発光させるための白色の迂回光は、赤色印刷部６６を確実に迂回できる。以上のように、環状入射面６７ａの屈折作用によって、赤色印刷部６６及び環状透光部３３ｂは、赤色帯状部５５と環状発光部５７との距離にかかわらず、互いに離れて位置し得る。故に、発光色の異なる光が混じり合う事態は、さらに確実に抑制される。したがって、赤色帯状部５５及び環状発光部５７は、共に正しい発光色にて確実に発光することができる。
【００６８】
さらに加えて、第一実施形態において、並んで位置する赤色帯状部５５と、白色帯状部５３及び環状発光部５７とは、発光色が互いに異なる。仮に、赤色印刷部６６によって赤色に調整された調整光が、白色帯状部５３及び環状発光部５７を発光させる白色の迂回光に混じり合ったとする。すると、赤みがかって発光する白色帯状部５３及び環状発光部５７の発光色が正しくないことは、視認者によって知覚され易く、コンビネーションメータ１００の見栄えを著しく悪化させる要因となり得る。
【００６９】
しかし、上述したように、赤色光集光部６５の集光作用によって、赤色の調整光と白色の迂回光との混じり合いが抑制される。故に、視認者の視線方向が変化した場合でも、白色帯状部５３及び環状発光部５７の発光色が変化してしまう事態は、防がれ得る。このように、赤色帯状部５５と白色帯状部５３及び環状発光部５７とを近接させても、これらの発光状態が正しく維持される効果は、発光状態としての発光色が互いに異なる形態のコンビネーションメータ１００において、見栄え確保に顕著に寄与できるのである。
【００７０】
尚、第一実施形態において、主目盛部５１、補助目盛部５２、白色帯状部５３、赤色帯状部５５、及び環状発光部５７が特許請求の範囲に記載の「複数の発光部」に相当し、赤色帯状部５５が特許請求の範囲に記載の「第一発光部」に相当し、白色帯状部５３及び環状発光部５７が特許請求の範囲に記載の「第二発光部」に相当し、赤色印刷部６６が特許請求の範囲に記載の「発光調整部」に相当し、赤色光集光部６５が特許請求の範囲に記載の「集光部」及び「第一集光部」に相当し、反射面６５ｂが特許請求の範囲に記載の「反射面」に相当し、環状入射面６７ａが特許請求の範囲に記載の「屈折面」に相当し、白色光集光部６３及び環状集光部６７が特許請求の範囲に記載の「第二集光部」に相当し、発光ダイオード８３が特許請求の範囲に記載の「光源部」に相当し、コンビネーションメータ１００が特許請求の範囲に記載の「表示装置」に相当する。
【００７１】
（第二実施形態）
図５に示される本発明の第二実施形態は、第一実施形態の変形例である。第二実施形態によるコンビネーションメータ２００は、第一実施形態の立体目盛リング５０及び表示パネル３０（図２参照）に相当する、立体目盛リング２５０及び表示パネル２３０を備えている。以下、図５に基づいて、第二実施形態によるコンビネーションメータ２００について詳細に説明する。
【００７２】
第二実施形態の立体目盛リング２５０では、白色の迂回光を環状発光部５７に集光する第一実施形態の環状集光部６７（図４（ａ）参照）に相当する構成が、省略されている。具板的には、環状透光部３３ｂを透過した白色の迂回光を入射させる環状入射面２６７ａは、平面状に形成されている。加えて、第一実施形態の赤色印刷部６６（図４（ａ）参照）に相当する構成は、赤色光入射面６５ａには形成されていない。
【００７３】
表示パネル２３０は、上述した赤色光入射面６５ａにおける赤色印刷部６６（図４（ａ）参照）の省略に伴い、赤色印刷部２３４をおもて面に有している。赤色印刷部２３４は、赤色印刷部６６と同様に、赤色の波長域に属する光を主に通過させる。これにより赤色印刷部２３４は、発光ダイオード８３（図３参照）から放出された光の色を、赤色帯状部５５の発光色として予め規定された赤色に調整し、赤色光入射面６５ａに入射させる。加えて、赤色印刷部２３４は、表示パネル２３０において、立体目盛リング２５０の赤色光入射面６５ａと接する領域及び当該領域を囲む範囲に形成されている。故に、立体目盛リング２５０と表示パネル２３０との相対位置が部品の公差等に起因してずれた場合でも、赤色印刷部２３４によって赤色に調整された調整光は、赤色光入射面６５ａに確実に入射する。
【００７４】
ここまで説明した第二実施形態でも、立体目盛リング２５０は、集光作用を発揮する赤色光集光部６５を有する。故に、赤色帯状部５５に入射する視認者の視線方向が変化した場合でも、赤色に調整された調整光は、白色帯状部５３及び環状発光部５７を発光させる白色の迂回光に混じり合い難くなる（図５  視線方向ＬＳｌ，ＬＳｒ参照）。このように、環状集光部６７（図４（ａ）参照）に相当する構成が立体目盛リング２５０から省略されていても、環状発光部５７の発光色が調整光によって変化してしまう事態は、防がれ得る。
【００７５】
また、立体目盛リング２５０ではなく表示パネル２３０に赤色印刷部２３４が形成されていても、赤色に発光色を調整された調整光は、赤色光集光部６５に入射し得る。故に、赤色帯状部５５は、赤色光集光部６５によって集光された調整光により、赤色にて確実に発光することができる。したがって、互いに並んで位置する赤色帯状部５５と白色帯状部５３及び環状発光部５７とを近接させても、これら白色帯状部５３、赤色帯状部５５、及び環状発光部５７は、各々正しい発光状態にて発光することができる。
【００７６】
加えて第二実施形態では、表示パネル２３０のおもて面に赤色印刷部２３４を形成することにより、低コスト化が図られている。詳しく説明すると、立体目盛リング２５０から赤色印刷部６６（図４（ａ）参照）に相当する構成を省略することにより、立体目盛リング２５０のコストは低減される。一方で、表示パネル２３０のおもて面に赤色印刷部２３４を形成する工程は、当該おもて面に遮光部３２を形成する工程と共に行われ得る。故に、表示パネル２３０に赤色印刷部２３４を追加するために要するコストは、立体目盛リング２５０から赤色印刷部を省略することによって低減できるコストよりも低くなる。したがって、赤色印刷部２３４を表示パネル２３０に形成することにより、コンビネーションメータ２００は、低コストでありながら、赤色帯状部５５を赤色にて確実に発光させることができる。
【００７７】
尚、第二実施形態において、赤色印刷部２３４が特許請求の範囲に記載の「発光調整部」に相当し、コンビネーションメータ１００が特許請求の範囲に記載の「表示装置」に相当する。
【００７８】
（第三実施形態）
図６に示される本発明の第三実施形態は、第二実施形態の変形例である。第三実施形態によるコンビネーションメータ３００は、第二実施形態の立体目盛リング２５０（図４参照）に相当する、立体目盛リング３５０を備えている。以下、図６に基づいて、第三実施形態によるコンビネーションメータ３００について詳細に説明する。
【００７９】
立体目盛リング３５０は、赤色光集光部３６５及び環状集光部３６７を有している。赤色光集光部３６５は、立体目盛リング３５０において赤色帯状部５５の表示方向とは反対側に形成されている。赤色光集光部３６５は、赤色の調整光を赤色帯状部５５に導光する。赤色光集光部３６５は、赤色帯状部５５を発光させるための光を立体目盛リング３５０内に入射させる赤色光入射面３６５ａを形成している。赤色光入射面３６５ａは、表示方向とは反対の方向に凸状に湾曲している。凸レンズ状に形成された赤色光入射面３６５ａの光軸は、表示方向に向かうに従って、径方向内側に傾斜している。この形状よって、赤色光入射面３６５ａは、視認者の視線方向ＬＳｌ，ＬＳｒを、赤色印刷部２３４に向けて屈折させる。以上により、赤色印刷部２３４を透過し、発光色を赤色に調整された調整光は、赤色光入射面３６５ａから赤色光集光部３６５に入射する。赤色光集光部３６５は、凸レンズ状の赤色光入射面６５ａによって、赤色帯状部５５に向けて調整光を屈折させることにより、赤色帯状部５５に調整光を集光する。
【００８０】
環状集光部３６７は、立体目盛リング３５０において環状発光部５７の表示方向とは反対側に環状に形成されている。環状集光部３６７は、環状発光部５７に白色の迂回光を導光する。環状集光部３６７は、立体目盛リング３５０から表示方向とは反対の方向に向けて突出している。環状集光部３６７は、環状発光部５７を発光させるための光を立体目盛リング３５０内に入射させる環状入射面３６７ａに加えて、一対の反射面３６７ｂを形成している。
【００８１】
環状入射面３６７ａは、環状集光部３６７において突出方向の先端面に形成されている。環状入射面３６７ａは、表示パネル２３０のおもて面に沿った平面状であって、環状透光部３３ｂと接している。一対の反射面３６７ｂは、立体目盛リング３５０の径方向において相対している。各反射面３６７ｂは、立体目盛リング３５０の周方向に沿って環状に伸びている。一対の反射面３６７ｂのうち、内周側に位置する一方は、表示方向に向かうに従って径方向内側に傾斜している。一対の反射面３６７ｂのうち、外周側に位置する他方は、表示方向に向かうに従って径方向外側に傾斜している。環状入射面３６７ａには、環状透光部３３ｂを透過した白色の迂回光が入射する。環状集光部３６７は、反射面３６７ｂによって、環状発光部５７に向けて迂回光を反射させることにより、環状発光部５７に迂回光を集光する。
【００８２】
ここまで説明した第三実施形態では、凸レンズ状に形成された赤色光入射面３６５ａを有する赤色光集光部３６５が、集光作用を発揮する。故に、赤色帯状部５５に入射する視認者の視線方向が変化した場合でも、赤色に調整された調整光は、白色帯状部５３及び環状発光部５７を発光させる白色の迂回光に混じり合い難くなる。このように、赤色光入射面３６５ａを凸レンズ状に形成した形態であっても、環状発光部５７の発光色が調整光によって変化してしまう事態は、防がれ得る。加えて、赤色帯状部５５は、赤色光集光部３６５によって集光された調整光により、赤色にて確実に発光することができる。したがって、互いに並んで位置する赤色帯状部５５及び白色帯状部５３、並びに赤色帯状部５５及び環状発光部５７をそれぞれ近接させても、これら白色帯状部５３、赤色帯状部５５、及び環状発光部５７は、各々正しい発光状態にて発光することができる。
【００８３】
加えて第三実施形態によれば、反射面３６７ｂを有する環状集光部３６７は、環状透光部３３ｂを透過した迂回光を集光しつつ、環状発光部５７に導光する。このように、反射面３６７ｂを有する環状集光部３６７であっても、環状集光部３６７の集光作用は、発揮され得る。故に、視認者の視線方向が変化した場合でも、発光色を調整されていない白色の迂回光は、赤色の調整光に混じり合い難くなる。故に、白色の迂回光が赤色帯状部５５の発光色を変化させる事態、並びに赤色の調整光が環状発光部５７の発光色を変化させる事態は、共に確実に抑制され得る。
【００８４】
また第三実施形態によれば、凸レンズ状の赤色光入射面３６５ａの集光作用によって、赤色の調整光は、白色の光に混じり合うことなく、確実に赤色帯状部５５に集光される。故に、視認者の視線方向が変化した場合でも、白色帯状部５３及び環状発光部５７の発光色が調整光によって変化してしまう事態は、確実に抑制され得る。
【００８５】
さらに第三実施形態によれば、凸レンズ状の赤色光入射面３６５ａの屈折作用によって、赤色帯状部５５に入射する視認者の視線方向ＬＳｌ，ＬＳｒは、環状透光部３３ｂから離れた位置に設けられた赤色印刷部２３４に確実に向けられる。故に、赤色印刷部２３４は、環状透光部３３ｂから離れていても、赤色帯状部５５を発光させる光の色を調整する作用を発揮できる。加えて、赤色印刷部２３４が環状透光部３３ｂから離れているので、調整光が環状入射面３６７ａにさらに入射し難くなる。故に、視認者の視線方向が変化した場合でも、環状発光部５７の発光色が調整光によって変化してしまう事態は、確実に抑制され得る。
【００８６】
これらの混色防止作用により、赤色帯状部５５及び白色帯状部５３、並びに赤色帯状部５５及び環状発光部５７をそれぞれ近接させても、これら白色帯状部５３、赤色帯状部５５、及び環状発光部５７は、各々正しい発光状態にて確実に発光できる。
【００８７】
尚、第三実施形態において、赤色光入射面３６５が特許請求の範囲に記載の「集光部」及び「第一集光部」に相当し、赤色光入射面３６５ａが特許請求の範囲に記載の「屈折面」に相当し、環状集光部３６７が特許請求の範囲に記載の「第二集光部」に相当し、反射面３６７ｂが特許請求の範囲に記載の「反射面」に相当し、コンビネーションメータ３００が特許請求の範囲に記載の「表示装置」に相当する。
【００８８】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００８９】
上記第一及び第二実施形態では、赤色帯状部５５に調整光を集光する赤色光集光部６５は、反射面６５ｂを有していた。また、上記第三実施形態では、赤色光集光部３６５は、屈折面としての赤色光入射面３６５ａを有していた。しかし、集光部は、反射面及び屈折面以外の構成によって、又は反射面及び屈折面を組み合わせた構成によって、調整光を赤色帯状部に集光する形態であってもよい。
【００９０】
上記実施形態では、特許請求の範囲に記載の「第二集光部」として、白色光集光部及び環状集光部が設けられていた。しかし、発光状態を調整されていない迂回光が赤色帯状部から出射され難い形態であれば、迂回光を集光するためのこれら「第二集光部」に相当する構成は、省略されていても良い。
【００９１】
上記第一実施形態では、環状入射面６７ａが、特許請求の範囲に記載の「屈折面」として、凸レンズ状に形成されていた。また、上記第三実施形態では、赤色光集光部３６５が、特許請求の範囲に記載の「屈折面」として、凸レンズ状に形成されていた。しかし、「屈折面」としての凸レンズ状の入射面は、集光部に形成されていなくてもよい。すべての集光部が、反射面によって光を集光する構成であってもよい。
【００９２】
上記第一実施形態では、特許請求の範囲に記載の「発光調整部」として、赤色印刷部が発光色を赤色に調整していた。しかし、発光調整部によって調整される光の色は、赤色に限定されない。例えば、発光ダイオードから放出された光の色を緑色や黄色等に調整する発光調整部が、表示パネル又は立体目盛リング等に設けられていてもよい。又は、発光調整部は、「発光状態」として、光の色ではなく、光の輝度を調整する構成であってもよい。例えば、微小な凹凸を有し、「第一集光部」に入射する光の輝度を高めるシボ部が、導光体７０の表示方向とは反対側の面に「発光調整部」として形成されていてもよい。
【００９３】
上記第一実施形態では、「発光調整部」である赤色印刷部に発光状態を調整されない光は、発光ダイオードから放出されたままの発光状態を維持しつつ、白色光集光部及び環状集光部のいずれかに入射していた。しかし、発光調整部を迂回する迂回光であっても、輝度及び色相等の発光状態を調整されたうえで、白色帯状部及び環状発光部等の「第二発光部」から出射されてもよい。
【００９４】
以上、内燃機関の回転速度を表示するタコメータに本発明を適用することにより、レッドゾーンを示す領域の発光部において光の混色を抑制した例を説明した。しかし、本発明は、タコメータのレッドゾーンを示す発光部に限らず、互いに発光状態の異なる発光部を備える、例えばスピードメータ、燃料計、及び水温計等の表示装置全般に適用することができる。
【符号の説明】
【００９５】
２０  タコメータ、２０ａ  表示領域、３０，２３０  表示パネル、３１  文字部、３２  遮光部、３３  透光部、３３ａ  帯状透光部、３３ｂ  環状透光部、２３４  赤色印刷部（発光調整部）、３９  外縁リング、４０  指針、４１  指針本体部、４２  キャップ部、５０，２５０，３５０  立体目盛リング、５１  主目盛部（複数の発光部）、５２  補助目盛部（複数の発光部）、５３  白色帯状部（複数の発光部，第二発光部）、５５  赤色帯状部（複数の発光部，第一発光部）、５７  環状発光部（複数の発光部，第二発光部）、５９  遮光部、６３  白色光集光部（第二集光部）、６３ａ  白色光入射面、６３ｂ  反射面、６５，３６５  赤色光集光部（集光部，第一集光部）、６５ａ  赤色光入射面、３６５ａ  赤色光入射面（屈折面）、６５ｂ  反射面、６６  赤色印刷部（発光調整部）、６７，３６７  環状集光部（第二集光部）、６７ａ，  環状入射面（屈折面）、２６７ａ，３６７ａ  環状入射面、３６７ｂ  反射面、７０  導光体、７３  ケース、８０  メータ制御部、８３  発光ダイオード（光源部）、８５  ステッパーモータ、９１  車内ＬＡＮ、９２  電力供給制御回路、９３  イグニッション・スイッチ、９４  イグニッション・リレー、９５  バッテリ、１００，２００，３００  コンビネーションメータ（表示装置）
【図１】
0005348149.tif 000002
【図２】
0005348149.tif 000003
【図３】
0005348149.tif 000004
【図４】
0005348149.tif 000005
【図５】
0005348149.tif 000006
【図６】
0005348149.tif 000007